(57)【特許請求の範囲】
【請求項１】
支持フレームの片面側から支持フレームの上下の横材の間に挿入して位置決めする窓枠と、支持フレームの反対側から前記窓枠を上下の横材に固定する複数の止め具と、前記窓枠を固定した後の前記止め具を介して前記窓枠の反対側に装着する補助枠とを備えてなり、前記止め具は、前記窓枠と横材との間に横に倒して差し込み、９０°回転させて前記窓枠を外れ止めする係合突部付きの本体部と、すり割りを介して対向する一対の操作部とを一体成形し、水平方向に長い前記操作部に前記補助枠を弾発的に係合させて回り止めすることを特徴とする間仕切りパネルにおける窓枠の取付構造。
【請求項２】
前記本体部の高さｈ、厚さｔは、前記窓枠と横材との間の隙間ｇに対して、ｔ≪ｇ＜ｈであることを特徴とする請求項１記載の間仕切りパネルにおける窓枠の取付構造。
【請求項３】
前記止め具は、前記係合突部の方向を示す指示部を前記操作部側に形成することを特徴とする請求項１または請求項２記載の間仕切りパネルにおける窓枠の取付構造。
【請求項４】
前記窓枠には、横材との間に介装して前記窓枠を厚さ方向に位置決めするスペーサを付設することを特徴とする請求項１ないし請求項３のいずれか記載の間仕切りパネルにおける窓枠の取付構造。
【請求項５】
前記スペーサは、横材に係合して前記窓枠の高さ位置を決定する係合部を有することを特徴とする請求項４記載の間仕切りパネルにおける窓枠の取付構造。
【発明の詳細な説明】
【０００１】
【発明の属する技術分野】
この発明は、支持フレームに対し、窓枠を容易に、しかも確実に取り付けることができる間仕切りパネルにおける窓枠の取付構造に関する。
【０００２】
【従来の技術】
事務所などの室内を任意に仕切る間仕切りパネルには、採光用の窓や開口部などを設けるために、窓枠を取り付けることがある。
【０００３】
従来の窓枠は、床面に立設する間仕切りパネルの支持フレームに対し、ねじ止めや、支持フレームの上下の溝に嵌め込む嵌殺しなどによって固定されている。
【０００４】
【発明が解決しようとする課題】
かかる従来技術によるときは、ねじ止めは、作業手数が過大となりがちである上、止めねじの頭部が窓枠の表面に露出するので、外観体裁がよくないという問題があり、これを避けるために窓枠の裏側に止めねじを立設しても、窓枠を取り付ける際に１人作業が困難であるという問題がある。また、嵌殺しは、窓枠を完全に固定することが難しく、不愉快な振動音を発生するおそれがある。
【０００５】
そこで、この発明の目的は、かかる従来技術の問題に鑑み、係合突部付きの本体部と操作部とを備える止め具を使用することによって、窓枠の取付け作業を簡単にして従来の問題を一掃することができる間仕切りパネルにおける窓枠の取付構造を提供することにある。
【０００６】
【課題を解決するための手段】
かかる目的を達成するためのこの発明の構成は、支持フレームの片面側から支持フレームの上下の横材の間に挿入して位置決めする窓枠と、支持フレームの反対側から窓枠を上下の横材に固定する複数の止め具と、窓枠を固定した後の止め具を介して窓枠の反対側に装着する補助枠とを備えてなり、止め具は、窓枠と横材との間に横に倒して差し込み、９０°回転させて窓枠を外れ止めする係合突部付きの本体部と、すり割りを介して対向する一対の操作部とを一体成形し、水平方向に長い操作部に補助枠を弾発的に係合させて回り止めすることをその要旨とする。
【０００７】
なお、本体部の高さｈ、厚さｔは、窓枠と横材との間の隙間ｇに対して、ｔ≪ｇ＜ｈとすることができる。
【０００８】
また、止め具は、係合突部の方向を示す指示部を操作部側に形成してもよい。
【００１０】
なお、窓枠には、横材との間に介装して窓枠を厚さ方向に位置決めするスペーサを付設してもよく、スペーサは、横材に係合して窓枠の高さ位置を決定する係合部を有してもよい。
【００１１】
【作用】
かかる発明の構成によるときは、止め具の本体部は、窓枠の上下において、横に倒して窓枠と支持フレームの横材との間に差し込み、操作部を介して９０°回転操作することにより、本体部自体が横材に係合するとともに係合突部が窓枠に係合し、窓枠を支持フレームに固定することができる。なお、操作部には、補助枠を弾発的に係合させ、補助枠を窓枠の反対側に着脱可能に装着するとともに、補助枠を介して止め具の回り止めをすることができる。また、止め具は、適当な強度を有するプラスチック材料により一体成形することが好ましい。
【００１２】
指示部は、窓枠の反対側の操作部側において、本体部、係合突部の方向を示し、止め具の正しい回転操作方向を表示することができる。
【００１３】
係合突部と直角方向の操作部は、補助枠を装着することにより、窓枠を固定した後の止め具を確実に回り止めすることができる。
【００１４】
すり割りを介して対向する一対の操作部は、すり割りを挟む方向に容易に弾性変形し、補助枠を一層簡単に装着することができる。
【００１５】
止め具は、窓枠の上下に装着することにより、窓枠を支持フレームの上下の横材に固定し、上下の横材の間に組み込む窓枠を外れ止めすることができる。また、窓枠に組み合わせる補助枠は、止め具を介して窓枠の反対側に装着し、止め具をカバーすることができる。なお、ここでいう窓枠は、透明、半透明、不透明などのガラス板やプラスチック板、木板、鋼板などのパネル材を嵌め込む本来の窓枠の他、薄形のディスプレイや、スピーカ、照明器具などの取付用の枠体を含むものとする。
【００１６】
窓枠は、横材との間にスペーサを介装することにより、スペーサを介し、支持フレームに対して厚さ方向に位置決めされ、止め具の本体部、係合突部を介し、支持フレームに対して一層確実に固定することができる。なお、同様のスペーサは、補助枠にも付設し、補助枠を厚さ方向に位置決めすることができる。
【００１７】
スペーサに形成する係合部は、横材に係合させて窓枠の高さ位置を決定し、窓枠と横材との間に止め具を挿入する適正な隙間を形成する。
【００１８】
【発明の実施の形態】
以下、図面を以って発明の実施の形態を説明する。
【００１９】
間仕切りパネルにおける窓枠用の止め具１０は、本体部１１と、本体部１１の一端に直角に突出する係合突部１２と、本体部１１の他端側に形成する操作部１３、１３とを備えてなる（図１、図２）。ただし、図２（Ａ）、（Ｂ）は、それぞれ図１のＸ1 、Ｘ2 矢視相当図である。
【００２０】
止め具１０は、プラスチック材料により一体成形されている。本体部１１の高さｈ、厚さｔは、ｈ＞ｔに形成され、縦横比ｈ／ｔ＞１となっている。本体部１１の円弧状の上面は、両側面に滑らかに連続しており、両側面の下端は、底面に対して滑らかに丸められている。係合突部１２は、本体部１１の高さｈ方向に突出し、本体部１１の厚さｔと同幅に形成されている。なお、係合突部１２の前面側、すなわち本体部１１側には、左右の斜めのガイド面１２ａ、１２ａが形成されている。
【００２１】
一対の操作部１３、１３は、すり割り１１ｂを介して対向し、本体部１１の軸１１ａの前端に形成されている。操作部１３、１３は、本体部１１の厚さｔ方向、すなわち係合突部１２と直角方向に長く形成され、前方の角部を滑らかに丸めるとともに、前方に向けて互いに斜めに間隔が狭くなっている。また、操作部１３、１３の基部には、互いに平行な段付きの規制面１３ｂ、１３ｂが形成されている。本体部１１、軸１１ａ上には、係合突部１２と同方向の指示部１４が共通に突設して形成されている。
【００２２】
止め具１０は、ブロック式の間仕切りパネルの支持フレーム４０に対し、補助枠３０とともに窓枠２０を取り付けるときに使用する（図３、図４）。
【００２３】
支持フレーム４０は、止めねじ４３、４３を利用して、左右の縦材４１、４１に複数の横材４２、４２…を梯子状に連結して構成されている。ただし、図３には、最上部の横材４２、４２のみが図示されている。支持フレーム４０の両面には、パネル４４、４４が装着されており、支持フレーム４０は、各縦材４１に添わせるフック金具４５、４５を介し、床面に立設する柱材４６、４６にフック止めされ、柱材４６を介して幅方向に任意に連結することができる。なお、窓枠２０、補助枠３０の上に位置する横材４２の下面、下に位置する横材４２の上面には、それぞれ水平に対向する短い係合リブ４２ａ、４２ａが形成されている（図４、図５）。ただし、図４、図５には、下の横材４２のみが図示されている。
【００２４】
窓枠２０は、アルミニウム材の押出形材からなる縦枠２１、２１、横枠２２、２２を枠状に組み合わせて構成されており（図３、図４）、窓枠２０には、たとえばガラス板からなるパネル材２３が嵌め込まれている。横枠２２には、パッキン２３ａを介してパネル材２３を収納する角溝状の小溝２２ａが形成され（図５）、スペーサ２４、２４を装着するために、上下に対向するリブ２２ｂ、２２ｂが形成されている。スペーサ２４は、長方形の平板状に形成され（図６）、両端に円筒状の係合部２４ｂ、２４ｂが厚さ方向に形成されている。各係合部２４ｂは、一端を斜めに先細とし、外周が斜めの外フランジ２４ｃが他端側に形成されている。一方、縦枠２１は、パネル材２３用のパッキン２３ａを収納する小溝２１ａを有し（図４）、横枠２２とほぼ同一の断面形状に形成されている。
【００２５】
補助枠３０は、アルミニウム材の押出形材からなる縦枠３１、３１、横枠３２、３２を枠状に組み合わせて構成されている（図３、図４）。横枠３２は、止め具１０の操作部１３、１３を弾発的に係合させるために、上下に対向するリブ３２ｂ、３２ｂが形成されており（図５）、リブ３２ｂ、３２ｂには、窓枠２０用のスペーサ２４と同形のスペーサ３４を装着することもできる（図４）。なお、縦枠３１は、横枠３２と同一の断面形状に形成されている。
【００２６】
窓枠２０は、補助枠３０とともに、止め具１０、１０…を使用して支持フレーム４０の上下の横材４２、４２の間に取り付けて固定することができる（図３、図７）。
【００２７】
すなわち、窓枠２０は、上下の横枠２２、２２にそれぞれスペーサ２４、２４を装着し、下のスペーサ２４、２４の係合部２４ｂ、２４ｂ…を下の横材４２に係合させるようにして横材４２、４２の間に挿入して位置決めする。このとき、窓枠２０は、横材４２、４２との間に介装するスペーサ２４、２４…を介して厚さ方向に位置決めされ、上下の横材４２、４２と各横枠２２の小溝２２ａの外面との間に適正な隙間ｇ、ｇを形成することができる。ただし、ｔ≪ｇ＜ｈである。
【００２８】
そこで、上下の隙間ｇ、ｇに対し、それぞれ一対の止め具１０、１０を横にして差し込み（図７の矢印方向）、操作部１３、１３を介して各止め具１０を９０°回転操作すると、本体部１１の下部が対応する横材４２の係合リブ４２ａ、４２ａの間に入り込むとともに（図５）、本体部１１の上面、係合突部１２の前面が横枠２２の小溝２２ａの外面に係合し、窓枠２０を外れ止めすることができる。なお、各止め具１０は、本体部１１の高さｈが隙間ｇより僅かに大きく、横材４２、４２に対して窓枠２０を相対移動不能に固定することができる。また、各止め具１０の本体部１１、係合突部１２の方向は、指示部１４の方向により確認することができ、窓枠２０を固定した後の各止め具１０の操作部１３、１３は、水平となっている。
【００２９】
次に、補助枠３０の上下の横枠３２、３２にそれぞれスペーサ３４、３４を装着して（図４、図７）、窓枠２０を固定した後の各止め具１０の操作部１３、１３に対し、各横枠３２のリブ３２ｂ、３２ｂを弾発的に係合させて補助枠３０を窓枠２０の反対側に装着する（図５）。このとき、補助枠３０は、スペーサ３４、３４…、止め具１０、１０…の操作部１３、１３…を介して厚さ方向、上下方向に位置決めされるから、左右方向に窓枠２０と同位置に適切に位置決めすることにより、止め具１０、１０…、パネル材２３用のパッキン２３ａ、２３ａ…を体裁よくカバーすることができる。また、補助枠３０は、各横枠３２のリブ３２ｂ、３２ｂが操作部１３、１３の規制面１３ｂ、１３ｂに対向することにより、各止め具１０を適切に回り止めすることができる。
【００３０】
このようにして、窓枠２０、補助枠３０を支持フレーム４０に固定すると、窓枠２０側のパネル材２３は、支持フレーム４０の厚さ方向のほぼ中央に位置し、窓枠２０、補助枠３０は、全体として表裏一体の枠体を形成し、良好な外観を呈することができる。また、窓枠２０、補助枠３０は、それぞれ１人作業によって取り付けることができる。窓枠２０は、支持フレーム４０の片面側から横材４２、４２の間に挿入し、反対側から止め具１０、１０…を介して固定することができ、補助枠３０は、支持フレーム４０の片面側から止め具１０、１０…の操作部１３、１３…に固定することができるからである。
【００３１】
なお、支持フレーム４０の最上部の横材４２上には、止め金具４７の板ばね４７ａを介して笠木４８を着脱自在に装着することができる（図７）。ただし、止め金具４７は、横材４２の上面または柱材４６の上端にねじ止めされている。
【００３２】
窓枠２０を支持フレーム４０から取り外すときは、止め具１０、１０…に対する係合を外して補助枠３０を取り外し、止め具１０、１０…を横に９０°回転操作して窓枠２０の外れ止めを解除し、窓枠２０を支持フレーム４０から取り外せばよい。
【００３３】
以上の説明において、窓枠２０、補助枠３０は、図３に拘らず、支持フレーム４０の中間の横材４２、４２の間に装着してもよい。また、止め具１０、１０…は、窓枠２０、補助枠３０の上側の１個を省略し、３個により窓枠２０、補助枠３０を固定してもよい。なお、窓枠２０は、パネル材２３を省略して単なる開口部用の枠体としてもよく、薄形のディスプレイや、スピーカ、照明器具などを組み込んでもよい。また、窓枠２０、補助枠３０は、支持フレーム４０の全幅相当の横幅とするに代えて、適当な補助パネルとともに支持フレーム４０の全幅をカバーするように構成してもよい。
【００３４】
【発明の効果】
以上説明したように、この発明によれば、止め具の本体部は、係合突部とともに窓枠を支持フレームの横材に固定し、操作部には、窓枠に組み合わせる補助枠を装着することができるから、窓枠の取付作業を極めて簡単に、しかも確実にすることができるという優れた効果がある。
【図面の簡単な説明】
【図１】  全体構成斜視説明図
【図２】  全体構成説明図
【図３】  使用状態を示す分解斜視図
【図４】  図３のＹ1 −Ｙ1 線矢視相当拡大断面図
【図５】  図３の要部拡大縦断面図
【図６】  スペーサの全体斜視図
【図７】  図３のＹ2 −Ｙ2 線矢視相当組立説明図
【符号の説明】
ｈ…高さ
ｔ…厚さ
１０…止め具
１１…本体部
１１ｂ…すり割り
１２…係合突部
１３…操作部
１４…指示部
２０…窓枠
２４…スペーサ
２４ｂ…係合部
３０…補助枠
４０…支持フレーム
４２…横材
【図１】
0003931313.tif 000002
【図２】
0003931313.tif 000003
【図３】
0003931313.tif 000004
【図４】
0003931313.tif 000005
【図５】
0003931313.tif 000006
【図６】
0003931313.tif 000007
【図７】
0003931313.tif 000008